(57)【要約】      （修正有）【課題】オークション会場における現物競り落とし型のオークションにおいて、各落札者による落札商品の確認作業の手間を省き、落札商品を真の落札者へ速やかに配送することができる競売・落札商品管理システムを提供する。【解決手段】競売・落札商品管理システム１０は、複数の競売商品に個別に取り付けられるタグと、それらタグに設置されたＩＣチップの固有識別子を読み取るリーダ１２と、それらＩＣチップの固有識別子を管理する管理コンピュータ１６とから形成される。管理コンピュータ１６は、読み取られた複数の落札商品のタグに設置されたＩＣチップの固有識別子のすべてが、記憶した落札者特定データに関連付くそれらＩＣチップの固有識別子に一致した場合、落札された複数の落札商品の出荷を可とし、ＩＣチップの固有識別子の少なくとも１つが一致しない場合、落札された複数の落札商品の出荷を不可とする。【選択図】図１
2019204330.tif 000002
【特許請求の範囲】
【請求項１】
オークション会場おけるオークションに出品されて競りかけられる競売商品および前記競りによって落札された落札商品を管理する競売・落札商品管理システムにおいて、
前記競売・落札商品管理システムが、前記競りにかけられる前に複数の競売商品に個別に取り付けられる複数のタグと、それらタグに設置されたＩＣチップの固有識別子を読み取るリーダと、それらＩＣチップの固有識別子を管理する管理コンピュータとから形成され、
前記管理コンピュータが、前記落札された落札商品に対応しつつ該落札商品を落札した落札者を特定する落札者特定データを前記ＩＣチップの固有識別子に関連付けた状態で記憶する落札者特定データ記憶手段と、前記リーダを利用し、前記競りによって特定の落札者に落札された複数の落札商品に取り付けられたタグのＩＣチップの固有識別子を読み取る識別子読み取り手段と、前記識別子読み取り手段によって読み取られたＩＣチップの固有識別子と前記落札者特定データ記憶手段によって記憶したＩＣチップの固有識別子とを比較する識別子比較手段と、前記識別子比較手段によってＩＣチップの固有識別子を比較した結果、前記識別子読み取り手段によって読み取られた複数の落札商品のタグに設置されたＩＣチップの固有識別子のすべてが前記落札者特定データ記憶手段によって記憶した落札者特定データに関連付くそれらＩＣチップの固有識別子に一致した場合、前記落札された複数の落札商品の出荷を可とする第１検品手段と、前記識別子読み取り手段によって読み取られた複数の落札商品のタグに設置されたＩＣチップの固有識別子のうちの少なくとも１つが前記落札者特定データ記憶手段によって記憶した落札者特定データに関連付くそれらＩＣチップの固有識別子に一致しない場合、前記落札された複数の落札商品の出荷を不可とする第２検品手段とを有することを特徴とする競売・落札商品管理システム。
【請求項２】
前記競売・落札商品管理システムが、前記リーダを設置したチェックボックスを含み、前記識別子読み取り手段では、特定の落札者によって落札された複数の落札商品すべてを前記チェックボックスに収納し、前記チェックボックスに設置された前記リーダを利用してそれら落札商品のタグに設置されたＩＣチップの固有識別子を纏めて読み取る請求項１に記載の競売・落札商品管理システム。
【請求項３】
前記競売・落札商品管理システムが、前記オークション会場における競りの最中にオークション開催者が発声した競売商品の競売商品特定詞と落札商品を落札した落札者特定詞と落札された落札商品の落札価格詞とを前記管理コンピュータに入力する入力装置を含み、前記入力装置が、前記競売商品特定詞を競売商品特定データとして前記管理コンピュータに入力し、前記落札者特定詞を前記落札者特定データとして前記管理コンピュータに入力するとともに、前記落札価格詞を落札価格データとして前記管理コンピュータに入力する詞入力手段を有し、前記管理コンピュータが、各競売商品を特定する競売商品特定データを前記タグに設置されたＩＣチップの固有識別子に関連付けた状態で記憶する競売商品特定データ記憶手段）と、前記詞入力手段によって入力された前記落札商品の落札価格詞を該落札商品の落札価格データとして前記ＩＣチップの固有識別子に関連付けた状態で記憶する落札価格データ記憶手段とを含み、前記落札者特定データ記憶手段では、前記詞入力手段によって入力された前記落札者特定詞を前記落札者特定データとして記憶し、前記詞入力手段によって入力された前記競売商品特定詞を前記競売商品特定データとして認識する請求項１または請求項２に記載の競売・落札商品管理システム。
【請求項４】
前記管理コンピュータが、前記第２検品手段において前記落札商品の出荷を不可とした場合、不一致の固有識別子のＩＣチップを有するタグを取り付けた前記落札商品の不一致商品特定データを出力する不一致商品特定データ出力手段を含む請求項３に記載の競売・落札商品管理システム。
【請求項５】
前記オークション開催者には、競売の進捗をはかる進行係と、競売を司会する競売人と、前記競売人の声を復唱する復唱係とが存在し、前記進行係が、前記競売商品の競売商品特定詞を発声し、前記復唱係が、前記落札商品を落札した落札者特定詞と落札された落札商品の落札価格とを発声し、前記詞入力手段では、前記進行係が発声した競売商品特定詞を前記競売商品特定データとして前記管理コンピュータに入力し、前記復唱係が発声した落札者特定詞を前記落札者特定データとして前記管理コンピュータに入力するとともに、前記復唱係が発声した落札価格詞を前記落札価格データとして前記管理コンピュータに入力する請求項３または請求項４に記載の競売・落札商品管理システム。
【請求項６】
前記進行係が発声した前記競売商品特定詞が、該進行係の声を拾うマイクに音声データとして入力され、前記詞入力手段では、前記音声データとして前記マイクに入力された前記競売商品特定詞が前記競売商品特定データとして該マイクから前記管理コンピュータに入力される請求項５に記載の競売・落札商品管理システム。
【請求項７】
前記復唱係が発声した前記落札者特定詞および前記落札価格詞が、該復唱係の声を拾う前記マイクに音声データとして入力され、前記詞入力手段では、前記音声データとして前記マイクに入力された前記落札者特定詞が前記落札者特定データとして該マイクから前記管理コンピュータに入力され、前記音声データとして前記マイクに入力された前記落札価格詞が前記落札価格データとして該マイクから前記管理コンピュータに入力される請求項５または請求項６に記載の競売・落札商品管理システム。
【請求項８】
前記競売・落札商品管理システムが、前記タグに貼付するラベルを作るラベルプリンターを含み、前記管理コンピュータが、前記詞入力手段によって前記競売商品特定データと前記落札者特定データと前記落札価格データとが該管理コンピュータに入力された後、前記落札者特定データの落札者名および前記落札価格データの落札価格が表示されて前記タグに貼付するラベルを前記ラベルプリンターから出力するラベル出力手段を含む請求項３ないし請求項７いずれかに記載の競売・落札商品管理システム。
【請求項９】
前記管理コンピュータが、前記競りにかけられる前の競売商品の商品データを前記ＩＣタグの固有識別子に関連付けた状態で記憶する商品データ記憶手段と、前記詞入力手段によって前記競売商品特定データと前記落札者特定データと前記落札価格データとが該管理コンピュータに入力されるとともに、前記第１検品手段によって落札された前記落札商品の出荷を可とした場合、特定の落札者に落札された落札商品の前記落札者特定データと前記落札価格データと前記商品データとを表示した落札商品明細を出力する落札商品明細出力手段を含む請求項８に記載の競売・落札商品管理システム。
【請求項１０】
前記競売商品の商品データが、該競売商品の出品者、該競売商品の商品名、該競売商品の写真、該競売商品の入札価格を含み、前記管理コンピュータが、前記競りにかけられる前の競売商品のそれら商品データを出力する競売商品データ出力手段を含む請求項９に記載の競売・落札商品管理システム。
【請求項１１】
前記落札商品明細出力手段によって出力される落札商品明細には、落札された落札商品の出品者、該落札商品の商品名、該落札商品の入札価格が表示される請求項１０に記載の競売・落札商品管理システム。
【発明の詳細な説明】
【技術分野】
【０００１】
本発明は、オークション会場の競りかけられる競売商品および競りによって落札された落札商品を管理する競売・落札商品管理システムに関する。
【背景技術】
【０００２】
参加者により操作される参加者端末と、オペレータにより操作されるオークション主催者端末と、参加者端末およびオークション主催者端末にネットワークを介して接続されたオークションサーバとから形成され、オークション主催者端末に備えられてオークションをスタートさせるために操作されるオークションスタート操作部と、オークション主催者端末に備えられ、オークションスタート操作部が操作されることによってオークションスタート信号がオークションサーバに送信された後、オークションサーバからオークション主催者端末にあらかじめ入力されたスタート価格から順次増大させた価格を現在価格情報として順次送信されることにより、現在価格が順次更新表示される主催者端末表示部と、参加者端末に備えられ、オークションスタート操作部が操作されることによってオークションスタート信号がオークションサーバに送信された後、オークションサーバから参加者端末にあらかじめ入力されたスタート価格から順次増大させた価格を現在価格情報として順次送信されることにより、現在価格が順次更新表示される参加者端末表示部と、参加者端末に備えられて参加者端末表示部に表示された現在価格で応札させるために操作される参加者応札操作部と、主催者端末表示部および参加者端末表示部は、参加者応札操作部が操作されることによって応札された現在価格である応札価格情報を含む応札信号がオークションサーバに送信された後、オークションサーバからオークション主催者端末および参加者端末に応札価格情報が送信されることによって応札価格以上のあらかじめ定められた応札後現在価格が現在価格として表示され、オークション主催者端末に備えられて参加者応札操作部により応札された応札価格で落札しないときに操作される不落札操作部とを有し、主催者端末表示部および参加者端末表示部は、現在価格に応札後現在価格が表示された状態で不落札操作部が操作されることにより、その後順次増大させた価格を現在価格として順次更新表示され、オークションサーバは、参加者応札操作部により応札操作された後の所定の時間内に不落札操作部が操作された場合、オークション主催者端末および参加者端末表示部に、最後に応札された応札後現在価格を現在価格として表示されるオークションシステムが開始されている（特許文献１参照）。
【先行技術文献】
【特許文献】
【０００３】
【特許文献１】特開２０１６−１９０４４２号公報
【発明の概要】
【発明が解決しようとする課題】
【０００４】
前記特許文献１に開示のオークションシステムは、インターネットを介して接続された参加者端末とオークション主催者端末とオークションサーバとを利用し、参加者およびオークション主催者がインターネット上でオークションを行う。なお、インターネットを介して接続された端末とサーバとを利用して競りを行うネット型のオークションの他に、実際のオークション会場に複数の落札者（バイヤー）が集合し、競りに出された競売商品に対してそれら落札者が相互に値段を競り合い、最も高値を付けた落札者が競り落とす現物競り落とし型のオークションがある。
【０００５】
オークション会場において競りが行われる現物競り落とし型のオークションでは、オークションにかけられる競売商品がオークション会場に運ばれ、オークション開催日にオークション会場に複数の落札者（バイヤー）が集合し、競売の進捗をはかる進行係が競売商品の商品番号や商品名等の商品特定詞を発した後、競売人（オークショニア）が競売を司会しつつ競売価格をつり上げて行く。競売商品が競り落とされた後、競売人の声を復唱する復唱係（オーム）が落札商品を落札した落札者特定詞と落札された落札商品の落札価格詞とを発声する。事務係（競売補助者）は、進行係が競売商品の商品特定詞として発声した商品番号や商品名等を用紙やタグに記載し、復唱係（オーム）が落札者特定詞として発声した落札者名および復唱係が落札価格詞として発声した落札価格を用紙やタグ（荷札）に記載する。事務係は、商品番号や商品名等、落札者名、落札価格を記載した用紙やタグを落札された落札商品に添付する。
【０００６】
事務係（競売補助者）は、複数の競売商品が落札された後、それら落札商品を各落札者毎（各バイヤー毎）に仕分け、それら落札商品を各落札者毎の郵送箱（検品ボックス）に収納するとともに、それら落札商品の商品番号や商品名等、落札者名、落札価格等の落札情報を記載した落札商品明細を各落札者毎に作り、それら落札商品の売上伝票や請求書を各落札者毎に作る。また、郵送箱（検品ボックス）に収納した落札商品の確認を各落札者に依頼し、それら落札商品が特定の落札者によって落札されたものかを各落札者毎に確かめてもらう。
【０００７】
現物競り落とし型のオークションでは、実際に競売商品を視認することができ、競売商品の状態を把握しながら落札することができる反面、各落札者による落札商品の確認作業に多大な時間を要し、落札者への落札商品の配送が滞る原因になっている。また、他の落札者が落札した落札商品が特定の落札者のそれら落札商品に混入する場合があり、落札していない競売商品の発見作業や返品作業、返金作業が非常に煩雑となり、競売商品の円滑な売買が妨げられる原因になっている。また、事務係（競売補助者）が複数の競売商品や複数の落札商品を個別に管理しなければならず、その管理作業に多大な手間と時間とを要しているとともに、競売商品や落札商品と商品番号、商品名等、落札者名、落札価格等の落札情報との間にミスマッチが発生している。
【０００８】
本発明の目的は、オークション会場において競りが行われる現物競り落とし型のオークションにおいて、各落札者による落札商品の確認作業の手間を省くことができ、落札者が落札したそれら落札商品を真の落札者へ速やかに配送することができる競売・落札商品管理システムを提供することにある。本発明の他の目的は、オークション会場において競りが行われる現物競り落とし型のオークションにおいて、他の落札者が落札した落札商品が特定の落札者のそれら落札商品に混入したとしても、特定の落札者への落札商品の配送前に他の落札者が落札した落札商品を容易に発見することができ、落札していない競売商品の発見作業や返品作業、返金作業を行う手間を省くことができ、競売商品を円滑に売買することができる競売・落札商品管理システムを提供することにある。本発明の他の目的は、オークション会場において競りが行われる現物競り落とし型のオークションにおいて、競売商品や落札商品を容易に管理することができ、競売商品や落札商品と商品番号、商品名等、落札者名、落札価格等の落札情報とのミスマッチの発生を防ぐことができる競売・落札商品管理システムを提供することにある。
【課題を解決するための手段】
【０００９】
前記課題を解決するための本発明の前提は、オークション会場おけるオークションに出品されて競りかけられる競売商品および競りによって落札された落札商品を管理する競売・落札商品管理システムである。
【００１０】
前記前提における本発明の競売・落札商品管理システムの特徴は、競売・落札商品管理システムが、競りにかけられる前に複数の競売商品に個別に取り付けられる複数のタグと、それらタグに設置されたＩＣチップの固有識別子を読み取るリーダと、それらＩＣチップの固有識別子を管理する管理コンピュータとから形成され、管理コンピュータが、落札された落札商品に対応しつつ落札商品を落札した落札者を特定する落札者特定データをＩＣチップの固有識別子に関連付けた状態で記憶する落札者特定データ記憶手段と、リーダを利用し、競りによって特定の落札者に落札された複数の落札商品に取り付けられたタグのＩＣチップの固有識別子を読み取る識別子読み取り手段と、識別子読み取り手段によって読み取られたＩＣチップの固有識別子と落札者特定データ記憶手段によって記憶したＩＣチップの固有識別子とを比較する識別子比較手段と、識別子比較手段によってＩＣチップの固有識別子を比較した結果、識別子読み取り手段によって読み取られた複数の落札商品のタグに設置されたＩＣチップの固有識別子のすべてが落札者特定データ記憶手段によって記憶した落札者特定データに関連付くそれらＩＣチップの固有識別子に一致した場合、落札された複数の落札商品の出荷を可とする第１検品手段と、識別子読み取り手段によって読み取られた複数の落札商品のタグに設置されたＩＣチップの固有識別子のうちの少なくとも１つが落札者特定データ記憶手段によって記憶した落札者特定データに関連付くそれらＩＣチップの固有識別子に一致しない場合、落札された複数の落札商品の出荷を不可とする第２検品手段とを有することにある。
【００１１】
本発明の競売・落札商品管理システムの一例としては、競売・落札商品管理システムが、リーダを設置したチェックボックスを含み、識別子読み取り手段では、特定の落札者によって落札された複数の落札商品すべてをチェックボックスに収納し、チェックボックスに設置されたリーダを利用してそれら落札商品のタグに設置されたＩＣチップの固有識別子を纏めて読み取る。
【００１２】
本発明の競売・落札商品管理システムの他の一例としては、競売・落札商品管理システムが、オークション会場における競りの最中にオークション開催者が発声した競売商品の競売商品特定詞と落札商品を落札した落札者特定詞と落札された落札商品の落札価格詞とを管理コンピュータに入力する入力装置を含み、入力装置が、競売商品特定詞を競売商品特定データとして管理コンピュータに入力し、落札者特定詞を落札者特定データとして管理コンピュータに入力するとともに、落札価格詞を落札価格データとして管理コンピュータに入力する詞入力手段を有し、管理コンピュータが、各競売商品を特定する競売商品特定データをタグに設置されたＩＣチップの固有識別子に関連付けた状態で記憶する競売商品特定データ記憶手段）と、詞入力手段によって入力された落札商品の落札価格詞を落札商品の落札価格データとしてＩＣチップの固有識別子に関連付けた状態で記憶する落札価格データ記憶手段とを含み、落札者特定データ記憶手段では、詞入力手段によって入力された落札者特定詞を落札者特定データとして記憶し、詞入力手段によって入力された競売商品特定詞を競売商品特定データとして認識する。
【００１３】
本発明の競売・落札商品管理システムの他の一例としては、管理コンピュータが、第２検品手段において落札商品の出荷を不可とした場合、不一致の固有識別子のＩＣチップを有するタグを取り付けた落札商品の不一致商品特定データを出力する不一致商品特定データ出力手段を含む。
【００１４】
本発明の競売・落札商品管理システムの他の一例として、オークション開催者には、競売の進捗をはかる進行係と、競売を司会する競売人と、競売人の声を復唱する復唱係とが存在し、進行係が、競売商品の競売商品特定詞を発声し、復唱係が、落札商品を落札した落札者特定詞と落札された落札商品の落札価格とを発声し、詞入力手段では、進行係が発声した競売商品特定詞を競売商品特定データとして管理コンピュータに入力し、復唱係が発声した落札者特定詞を落札者特定データとして管理コンピュータに入力するとともに、復唱係が発声した落札価格詞を落札価格データとして管理コンピュータに入力する。
【００１５】
本発明の競売・落札商品管理システムの他の一例としては、進行係が発声した競売商品特定詞が、進行係の声を拾うマイクに音声データとして入力され、詞入力手段では、音声データとしてマイクに入力された競売商品特定詞が競売商品特定データとしてマイクから管理コンピュータに入力される。
【００１６】
本発明の競売・落札商品管理システムの他の一例としては、復唱係が発声した落札者特定詞および落札価格詞が、復唱係の声を拾うマイクに音声データとして入力され、詞入力手段では、音声データとしてマイクに入力された落札者特定詞が落札者特定データとしてマイクから管理コンピュータに入力され、音声データとしてマイクに入力された落札価格詞が落札価格データとしてマイクから管理コンピュータに入力される。
【００１７】
本発明の競売・落札商品管理システムの他の一例としては、競売・落札商品管理システムが、タグに貼付するラベルを作るラベルプリンターを含み、管理コンピュータが、詞入力手段によって競売商品特定データと落札者特定データと落札価格データとが管理コンピュータに入力された後、落札者特定データの落札者名および落札価格データの落札価格が表示されてタグに貼付するラベルをラベルプリンターから出力するラベル出力手段を含む。
【００１８】
本発明の競売・落札商品管理システムの他の一例としては、管理コンピュータが、競りにかけられる前の競売商品の商品データをＩＣタグの固有識別子に関連付けた状態で記憶する商品データ記憶手段と、詞入力手段によって競売商品特定データと落札者特定データと落札価格データとが管理コンピュータに入力されるとともに、第１検品手段によって落札された落札商品の出荷を可とした場合、特定の落札者に落札された落札商品の落札者特定データと落札価格データと商品データとを表示した落札商品明細を出力する落札商品明細出力手段を含む。
【００１９】
本発明の競売・落札商品管理システムの他の一例としては、競売商品の商品データが、競売商品の出品者、競売商品の商品名、競売商品の写真、競売商品の入札価格を含み、管理コンピュータが、競りにかけられる前の競売商品のそれら商品データを出力する競売商品データ出力手段を含む。
【００２０】
本発明の競売・落札商品管理システムの他の一例としては、落札商品明細出力手段によって出力される落札商品明細には、落札された落札商品の出品者、落札商品の商品名、落札商品の入札価格が表示される。
【発明の効果】
【００２１】
本発明に係る競売・落札商品管理システムによれば、管理コンピュータが識別子比較手段によってＩＣチップの固有識別子を比較した結果、識別子読み取り手段によって読み取られた複数の落札商品のタグに設置されたＩＣチップの固有識別子のすべてが落札者特定データ記憶手段によって記憶した落札者特定データに関連付くそれらＩＣチップの固有識別子に一致した場合、落札された複数の落札商品の出荷を可とする第１検品手段と、識別子読み取り手段によって読み取られた複数の落札商品のタグに設置されたＩＣチップの固有識別子のうちの少なくとも１つが落札者特定データ記憶手段によって記憶した落札者特定データに関連付くそれらＩＣチップの固有識別子に一致しない場合、落札された複数の落札商品の出荷を不可とする第２検品手段とを有するから、オークション会場において競りが行われる現物競り落とし型のオークションにおいて、特定の落札者が落札した複数の落札商品がその落札者が落札したものか否かをそれら落札商品に取り付けられたタグのＩＣチップの固有識別子によって瞬時に判断することができ、各落札者による落札商品の確認作業の手間を省くことができるとともに、落札者が落札したそれら落札商品を真の落札者へ速やかに配送することができる。
【００２２】
リーダを設置したチェックボックスを含み、識別子読み取り手段において、特定の落札者によって落札された複数の落札商品すべてをチェックボックスに収納し、チェックボックスに設置されたリーダを利用してそれら落札商品のタグに設置されたＩＣチップの固有識別子を纏めて読み取る競売・落札商品管理システムは、オークション会場において競りが行われる現物競り落とし型のオークションにおいて、特定の落札者が落札した複数の落札商品に取り付けられたタグのＩＣチップの個別識別子をチェックボックスにおいて一度に読み取ることができ、それら落札商品のタグに設置されたＩＣチップの個別識別子を各落札商品毎に個別に読み取る手間を省くことができる。競売・落札商品管理システムは、チェックボックスを利用して複数の落札商品に取り付けられたタグのＩＣチップの個別識別子を一度に読み取るから、特定の落札者が落札した複数の落札商品がその落札者が落札したものか否かをそれら落札商品に取り付けられたタグのＩＣチップの固有識別子によって一度に判断することができ、各落札者による落札商品の確認作業の手間を省くことができるとともに、落札者が落札したそれら落札商品を真の落札者へ速やかに配送することができる。
【００２３】
オークション会場における競りの最中にオークション開催者が発声した競売商品の競売商品特定詞と落札商品を落札した落札者特定詞と落札された落札商品の落札価格詞とを管理コンピュータに入力する入力装置を含み、入力装置が、競売商品特定詞を競売商品特定データとして管理コンピュータに入力し、落札者特定詞を落札者特定データとして管理コンピュータに入力するとともに、落札価格詞を落札価格データとして管理コンピュータに入力する詞入力手段を有し、管理コンピュータが、各競売商品を特定する競売商品特定データをタグに設置されたＩＣチップの固有識別子に関連付けた状態で記憶する競売商品特定データ記憶手段（第２記憶手段）と、詞入力手段によって入力された落札商品の落札価格詞を落札商品の落札価格データとしてＩＣチップの固有識別子に関連付けた状態で記憶する落札価格データ記憶手段とを含み、前記落札者特定データ記憶手段において、詞入力手段によって入力された落札者特定詞を落札者特定データとして記憶し、詞入力手段によって入力された競売商品特定詞を競売商品特定データとして認識する競売・落札商品管理システムは、詞入力手段によって入力された落札者特定詞を落札者特定データとし、その落札者特定データをＩＣチップの固有識別子に関連付けた状態で記憶することで、識別子読み取り手段によって読み取られたＩＣチップの固有識別子と落札者特定データ記憶手段によって記憶したそれら落札者特定データに関連付くそれらＩＣチップの固有識別子とを比較したときに、特定の落札者が落札した複数の落札商品がその落札者が落札したものか否かをそれら落札商品に取り付けられたタグのＩＣチップの固有識別子によって瞬時に判断することができる。競売・落札商品管理システムは、詞入力手段によって競売商品特定詞を競売商品特定データとして管理コンピュータに入力し、落札者特定詞を落札者特定データとして管理コンピュータに入力するとともに、落札価格詞を落札価格データとして管理コンピュータに入力し、管理コンピュータが落札者特定詞を落札者特定データとしてＩＣチップの固有識別子に関連付けた状態で記憶するとともに、落札商品の落札価格詞を落札商品の落札価格データとしてＩＣチップの固有識別子に関連付けた状態で記憶し、競売商品特定詞を競売商品特定データとしてＩＣチップの固有識別子に関連付けた状態で記憶することで、管理コンピュータが競売商品特定詞によって競売商品を特定することができ、落札者特定詞によって落札者を特定することができるとともに、落札価格詞によって落札価格を特定することができる。
【００２４】
管理コンピュータが第２検品手段において落札商品の出荷を不可とした場合、不一致の固有識別子のＩＣチップを有するタグを取り付けた落札商品の不一致商品特定データを出力する不一致商品特定データ出力手段を含む競売・落札商品管理システムは、オークション会場において競りが行われる現物競り落とし型のオークションにおいて、他の落札者が落札した落札商品が特定の落札者のそれら落札商品に混入したとしても、不一致の固有識別子のＩＣチップを有するタグを取り付けた落札商品の不一致商品特定データを出力することで、それら落札商品に混入した他の落札者が落札した落札商品を容易に特定することができ、特定の落札者への落札商品の配送前に他の落札者が落札した落札商品を容易に発見することができる。競売・落札商品管理システムは、落札していない競売商品の発見作業や返品作業、返金作業を行う必要はなく、それら作業を行う手間や時間を省くことができ、競売商品を円滑に売買することができる。
【００２５】
オークション開催者として競売の進捗をはかる進行係と競売を司会する競売人と競売人の声を復唱する復唱係とが存在し、進行係が競売商品の競売商品特定詞を発声し、復唱係が落札商品を落札した落札者特定詞と落札された落札商品の落札価格とを発声し、詞入力手段において、進行係が発声した競売商品特定詞を競売商品特定データとして管理コンピュータに入力し、復唱係が発声した落札者特定詞を落札者特定データとして管理コンピュータに入力するとともに、復唱係が発声した落札価格詞を落札価格データとして管理コンピュータに入力する競売・落札商品管理システムは、詞入力手段によって進行係が発声した競売商品特定詞と復唱係が発声した落札者特定詞と復唱係が発声した落札価格詞とを管理コンピュータに入力し、管理コンピュータが落札者特定詞を落札者特定データとしてＩＣチップの固有識別子に関連付けた状態で記憶するとともに、落札商品の落札価格詞を落札商品の落札価格データとしてＩＣチップの固有識別子に関連付けた状態で記憶し、競売商品特定詞を競売商品特定データとしてＩＣチップの固有識別子に関連付けた状態で記憶することで、管理コンピュータが競売商品特定詞によって競売商品を特定することができ、落札者特定詞によって落札者を特定することができるとともに、落札価格詞によって落札価格を特定することができる。
【００２６】
進行係が発声した競売商品特定詞が進行係の声を拾うマイクに音声データとして入力され、詞入力手段において、音声データとしてマイクに入力された競売商品特定詞が競売商品特定データとしてマイクから管理コンピュータに入力される競売・落札商品管理システムは、マイクに音声データとして入力された競売商品特定詞が競売商品特定データとしてマイクから管理コンピュータに入力されることで、競売商品特定データをマイクを介して管理コンピュータに直接入力することができ、競売商品特定データを手入力することによる手間と時間とを省くことができるとともに、管理コンピュータがマイクから入力された競売商品特定詞によって競売商品を特定することができる。
【００２７】
復唱係が発声した落札者特定詞および落札価格詞が復唱係の声を拾うマイクに音声データとして入力され、詞入力手段において、音声データとしてマイクに入力された落札者特定詞が落札者特定データとしてマイクから管理コンピュータに入力され、音声データとしてマイクに入力された落札価格詞が落札価格データとしてマイクから管理コンピュータに入力される競売・落札商品管理システムは、マイクに音声データとして入力された落札者特定詞が落札者特定データとしてマイクから管理コンピュータに入力され、マイクに音声データとして入力された落札価格詞が落札価格データとしてマイクから管理コンピュータに入力されることで、落札者特定データや落札価格データをマイクを介して管理コンピュータに直接入力することができ、落札者特定データや落札価格データを手入力することによる手間と時間とを省くことができるとともに、管理コンピュータがマイクから入力された落札者特定詞によって落札者を特定することができ、管理コンピュータがマイクから入力された落札価格詞によって落札価格を特定することができる。
【００２８】
タグに貼付するラベルを作るラベルプリンターを含み、管理コンピュータが詞入力手段によって競売商品特定データと落札者特定データと落札価格データとが管理コンピュータに入力された後、落札者特定データの落札者名および落札価格データの落札価格が表示されてタグに貼付するラベルをラベルプリンターから出力するラベル出力手段を含む競売・落札商品管理システムは、落札者特定データの落札者名および落札価格データの落札価格が表示されたラベルをラベルプリンターから出力し、そのラベルをタグに貼付することで、落札された落札商品に取り付けられたタグを見ることで、落札者や落札価格を知ることができ、タグを利用することで、オークション会場において競りが行われる現物競り落とし型のオークションにおいて、落札商品を容易に管理することができる。
【００２９】
管理コンピュータが競りにかけられる前の競売商品の商品データをＩＣタグの固有識別子に関連付けた状態で記憶する商品データ記憶手段と、詞入力手段によって競売商品特定データと落札者特定データと落札価格データとが管理コンピュータに入力されるとともに、第１検品手段によって落札された落札商品の出荷を可とした場合、特定の落札者に落札された落札商品の落札者特定データと落札価格データと商品データとを表示した落札商品明細を出力する落札商品明細出力手段を含む競売・落札商品管理システムは、識別子読み取り手段によって読み取られた複数の落札商品のタグに設置されたＩＣチップの固有識別子のすべてが落札者特定データ記憶手段によって記憶した落札者特定データに関連付くそれらＩＣチップの固有識別子に一致した場合、落札者特定データと落札価格データと商品データとを表示した落札商品明細を出力するから、落札者（バイヤー）が落札商品明細を見ることで、落札した落札商品の落札者や落札価格、商品情報を知ることができる。競売・落札商品管理システムは、それら商品データがＩＣタグの固有識別子に関連付けられた状態で管理コンピュータに記憶されているから、オークション会場において競りが行われる現物競り落とし型のオークションにおいて、競売商品や落札商品を容易に管理することができ、競売商品や落札商品と商品番号、商品名等、落札者名、落札価格等の落札情報とのミスマッチの発生を防ぐことができる。
【００３０】
競売商品の商品データが競売商品の出品者、競売商品の商品名、競売商品の写真、競売商品の入札価格を含み、管理コンピュータが競りにかけられる前の競売商品のそれら商品データを出力する競売商品データ出力手段を含む競売・落札商品管理システムは、競りにかけられる前の競売商品の出品者、競売商品の商品名、競売商品の写真、競売商品の入札価格を出力することで、落札者（バイヤー）が落札前に競売商品のそれら商品データを知ることができ、特定の競売商品の落札価格決定の参考にすることができる。競売・落札商品管理システムは、競売商品の出品者、競売商品の商品名、競売商品の写真、競売商品の入札価格がＩＣタグの固有識別子に関連付けられた状態で管理コンピュータに記憶されているから、オークション会場において競りが行われる現物競り落とし型のオークションにおいて、競売商品や落札商品の商品データを容易に管理することができる。
【００３１】
落札された落札商品の出品者、落札商品の商品名、落札商品の入札価格が落札商品明細出力手段によって出力される落札商品明細に表示される競売・落札商品管理システムは、落札者（バイヤー）が落札商品明細を見ることで、落札した落札商品の出品者や落札商品の商品名、落札商品の入札価格を知ることができる。競売・落札商品管理システムは、落札商品の出品者、落札商品の商品名、落札商品の入札価格がＩＣタグの固有識別子に関連付けられた状態で管理コンピュータに記憶されているから、オークション会場において競りが行われる現物競り落とし型のオークションにおいて、競売商品や落札商品を容易に管理することができ、競売商品や落札商品と落札商品の出品者、落札商品の商品名、落札商品の入札価格とのミスマッチの発生を防ぐことができる。
【図面の簡単な説明】
【００３２】
【図１】一例として示す競売・落札商品管理システムの構成図。
【図２】オークション会場におけるオークション（競り）の一例を示す図。
【図３】チェックボックスの一例を示す図。
【図４】オークション会場において競り（オークション）にかけられる時計（競売商品、落札商品）の一例を示す図。
【図５】時計（競売商品、落札商品）に取り付けられたタグの一例を示す図。
【図６】オークション会場において競り（オークション）にかけられる時計（競売商品）を収容するエントリーボックスの一例を示す図。
【図７】エントリー手続き後の時計（競売商品）を収容するエントリーボックスの一例を示す図。
【図８】タグに貼付されるラベルシール（ラベル）の一例を示す図。
【図９】競り落とされた時計（落札商品）を収容する郵送箱（検品ボックス）の一例を示す図。
【図１０】落札商品明細の一例を示す図。
【発明を実施するための形態】
【００３３】
一例として示す競売・落札商品管理システム１０の構成図である図１等の添付の図面を参照し、本発明に係る競売・落札商品管理システムの詳細を説明すると、以下のとおりである。なお、図２は、オークション会場２１におけるオークション（競り）の一例を示す図であり、図３は、チェックボックス１３の一例を示す図である。図４は、オークション会場２１において競り（オークション）にかけられる時計１７（競売商品、落札商品）の一例を示す図であり、図５は、時計１７（競売商品、落札商品）に取り付けられたタグ１１の一例を示す図である。
【００３４】
図３では、チェックボックス１３の頂部開口２０が開放された状態で示す。オークションに出品された競売商品や落札商品として時計１７を図示しているが、オークションに出品される競売商品や落札商品に特に制限はなく、競り（オークション）にかけられる各種複数のあらゆる商品が競売・落札商品管理システム１０を利用した競り（オークション）の対象になる。
【００３５】
競売・落札商品管理システム１０は、所定のオークションに出品されてオークション会場において競りかけられる時計（競売商品）および競りによって落札された時計（落札商品）を管理する。オークションは、オークション開催者（競売開催者）が開催する。競売開催者には、図２に示すように、競売の進捗をはかる進行係２９、競売を司会する競売人３０（オークショニア）、競売人３０（オークショニア）の声を復唱する復唱係３１（オーム）、事務係（競売補助者）（図示せず）が存在する。オークションでは、所定のオークション開催日時にオークション会場に複数の落札者３２（バイヤー）が集合し、競りに出された時計（競売商品）に対してそれら落札者３２が相互に値段を競り合い、最も高値を付けた落札者３２が時計（競売商品）を競り落とす。
【００３６】
競売・落札商品管理システム１０は、複数枚のタグ１１（荷札）およびリーダ１２（ＩＣタグリーダ）と、チェックボックス１３（検品ボックス）およびラベルプリンター１４と、入力装置１５（パソコン）および管理コンピュータ１６とから形成されている。競売・落札商品管理システム１０は、システム１０を提供（管理運営）するオークション開催者（事業法人）が管理する管理コンピュータ１６に構築されている。
【００３７】
それらタグ１１（荷札）は、競りにかけられる前の各種複数の時計１７（競売商品）に個別に取り付けられる。それらタグ１１には、図５に示すように、ＩＣチップ１８が設置固定されている。リーダ１２は、チェックボックス１３に設置され、その制御部がインターフェイス（有線または無線）（図示せず）を介して管理コンピュータ１６に接続されている。リーダ１２は、それらタグ１１に設置されたＩＣチップ１８の固有識別子を読み取り、読み取ったＩＣチップ１８の固有識別子を管理コンピュータ１６に送信する。
【００３８】
チェックボックス１３は、六面体の箱であり、リーダ１２を設置した頂壁１９が旋回可能であり、頂部開口２０を開閉することができる。チェックボックス１３は、オークション会場２１の事務室（図示せず）に設置されている。チェックボックス１３では、頂壁１９を上方へ旋回させることで頂部開口２０を開放することができ、頂部開口２０を開放した状態から頂壁１９を下方へ旋回させることで、頂部開口２０を閉鎖することができる。
【００３９】
チェックボックス１３の前壁２２には、インターフェイス（有線または無線）（図示せず）を介して管理コンピュータ１６に接続されたディスプレイ２３（タッチパネル）が設置されている。チェックボックス１３は、頂壁１９を上方へ旋回させて頂部開口２０を開放した後、その内部に落札された複数個の時計１７（落札商品）を入れた郵送箱２６（検品ボックス）を収容する。ディスプレイ２３（タッチパネル）には、チェックボックス１３において検品された時計１７（落札商品）の検品結果が表示される。
【００４０】
ラベルプリンター１４は、タグ１１に貼付するラベルシール２４（ラベル）を作る。ラベルプリンター１４は、オークション会場２１の事務室に設置され、その制御部がインターフェイス（有線または無線）（図示せず）を介して管理コンピュータ１６に接続されている。ラベルプリンター１４は、管理コンピュータ１６の指令に基づいて時計１７（落札商品）の落札者名および時計１７（落札商品）の落札価格を表示したラベルシール２４を出力する。
【００４１】
入力装置１５および管理コンピュータ１６は、中央処理部（ＣＰＵまたはＭＰＵ）とメモリ（メインメモリおよびキャッシュメモリ）とを有して独立したオペレーティングシステム（ＯＳ）によって動作するコンピュータ（管理コンピュータ１６は仮想マシンを含む）であり、大容量記憶領域（大容量ハードディスク等）を実装している。入力装置１５や管理コンピュータ１６には、キーボードやマウス等の入力装置、ディスプレイやプリンター等の出力装置がインターフェイスを介して接続されている。
【００４２】
入力装置１４は、オークション会場２１またはオークション会場２１の事務室に設置され、インターフェイス（有線または無線）（図示せず）を介して管理コンピュータ１６に接続されている。入力装置１４は、オークション会場２１における競りの最中にオークション開催者（進行係２９、競売人３０、復唱係３１）が発声した時計１７（競売商品）の競売商品特定詞と時計１７（落札商品）を落札した落札者特定詞と落札された時計１７（落札商品）の落札価格詞とを管理コンピュータ１６に入力する。
【００４３】
管理コンピュータ１６は、それらタグ１１に設置されたＩＣチップ１８の固有識別子を管理することで、オークションに出品された時計１７（競売商品）や競り落とされた（落札された）時計１７（落札商品）を管理する。管理コンピュータ１６は、オークション会場２１の事務室に設置されているが、オークション開催者が契約するデータセンター（クラウドを含む）に設置されていてもよい。管理コンピュータ１６には、競売・落札商品管理システム１０の各手段を実行するアプリケーションがインストールされている。管理コンピュータ１６の大容量記憶領域には、競売商品データベース、落札商品データベース、商品情報データベースが作成されている。
【００４４】
管理コンピュータ１６は、ＤＮＳサーバ機能、データベースサーバ機能、Ｗｅｂサーバ機能、メールサーバ機能、ドキュメントサーバ機能の各種サーバ機能を有し、インターネットに接続された各種複数のＤＮＳサーバ等を経由しつつ、インターネットを利用してアクセス制限がない不特定多数のサーバや携帯通信端末（スマートフォンやタブレット等）にアクセスかつログインすることができるとともに、不特定多数のサーバや携帯通信端末にオークションに関する各種のデータを送信することができる。
【００４５】
図６は、オークション会場２１において競り（オークション）にかけられる時計１７（競売商品）を収容するエントリーボックス２５ａ〜２５ｅの一例を示す図であり、図７は、エントリー手続き後の時計１７（競売商品）を収容するエントリーボックス２５ａの一例を示す図である。図８は、タグ１１に貼付されるラベルシール２４（ラベル）の一例を示す図であり、図９は、競り落とされた時計１７（落札商品）を収容する郵送箱２６（検品ボックス）の一例を示す図である。図１０は、落札商品明細の一例を示す図である。
【００４６】
競売・落札商品管理システム１０を利用したオークションでは、中古買取店（買取業者）や個人の出品者から出品されたオークションにかけられる各種複数の時計１７（競売商品）がオークション開催日の前日にオークション会場２１に搬入される。それら時計１７に取り付けられるタグ１１は、第１番〜第ｎ番までのタグ１１が一列に並べられた状態で管理保管されている。それらタグ１１には、第１番〜第ｎ番の番号が表示（印刷）されている。
【００４７】
競売開催者である事務係（競売補助者）は、管理コンピュータ１６にインターフェイス（有線または無線）（図示せず）を介して接続されたＩＣタグリーダ／ライタ（図示せず）またはＩＣタグリーダ（図示せず）を利用し、それらタグ１１に設置されたＩＣチップ１８に固有識別子（ＩＤ番号等のユニーク識別子）を書き込む。事務係は、第１番のタグ１１を取り出し、そのタグ１１に設置されたＩＣチップ１８をＩＣタグリーダ／ライタやＩＣタグリーダにセットし、第１番のタグ１１に設置されたＩＣチップ１８に固有識別子を書き込む。この手順を繰り返し、第２番〜第ｎ番のタグ１１に設置されたＩＣチップ１８に固有識別子（ＩＤ番号等のユニーク識別子）を書き込む。それらタグ１１のＩＣチップ１８に書き込まれた固有識別子は、管理コンピュータ１６に送信される。
【００４８】
管理コンピュータ１６は、ＩＣタグリーダ／ライタやＩＣタグリーダから送信された固有識別子をＩＣチップ１８（タグ１１）を特定するＩＣチップ特定識別子（ＩＣチップ１８の個体識別子や独自に生成したユニークな識別子）に関連付けた状態で大容量記憶領域に記憶（格納）する。なお、ＩＣチップ１８に書き込まれた固有識別子（ＩＤ番号等のユニーク識別子）は、連番として管理コンピュータ１６の大容量記憶領域に記憶（格納）される。ＩＣチップ１８に固有識別子が書き込まれた第１番〜第ｎ番のタグ１１は、一列に並べられた状態で再び管理保管される。
【００４９】
次に、事務係（競売補助者）は、オークション会場２１に搬入された競り（オークション）にかけられる前の各時計１１（競売商品）の商品データを入力装置１５から管理コンピュータ１６に入力する。時計１１（競売商品）の商品データには、各時計１１（競売商品）の出品者（個人の出品者の出品者名や買取店の名称）、各時計１１（競売商品）の商品名（機種名やメーカー名、販売店名を含む）、各時計１１（競売商品）の写真（写真はデジタルカメラで撮影した後、入力装置１５に入力される）、各時計１１（競売商品）の入札価格がある。なお、商品データには、それらの他に、出品者や時計１１（競売商品）に関するあらゆるデータが含まれる。
【００５０】
出品された各時計１７の商品データ入力手続きの一例は、以下のとおりである。事務係（競売補助者）は、入力装置１５を介して管理コンピュータ１６にログインする。入力装置１５が管理コンピュータ１６にログインすると、図示はしていないが、入力装置１５に接続されたディスプレイにデータ入力画面が出力（表示）される。データ入力画面には、エントリー入力ボタン、商品データ入力ボタン、バイヤー入力ボタン、オークションデータ入力ボタン、落札商品明細出力ボタン、キャンセルボタンが出力（表示）される。キャンセルボタンをクリックすると、入力装置１５が管理コンピュータ１６からログアウトし、データ入力画面がクローズする（以下のキャンセルボタンも同様）。
【００５１】
事務係が商品データ入力ボタンをクリックすると、入力装置１５に接続されたディスプレイに商品データ入力画面（図示せず）が出力（表示）される。商品データ入力画面には、各時計１１（競売商品）の出品者（個人の出品者の出品者名や買取店の名称）を入力する出品者入力エリア、各時計１１（競売商品）の商品名（機種名やメーカー名、販売店名を含む）を入力する商品名入力エリア、各時計１１（競売商品）の入札価格を入力する入札価格入力エリア、時計１１（競売商品）の写真を入力する時計写真入力エリア、入力ボタン、クリアボタン、戻るボタン、キャンセルボタンが出力（表示）される。クリアボタンをクリックすると、各入力エリアに入力されたデータがクリア（消去）され、再度入力エリアにデータを入力する（以下のクリアボタンも同様）。戻るボタンをクリックすると、１つ前の画面に戻る（以下の戻るボタンも同様）。
【００５２】
事務係は、出品者入力エリアに時計１１（競売商品）の出品者名を入力し、商品名入力エリアに時計１１（競売商品）の商品名を入力し、入札価格入力エリアに時計１１（競売商品）の入札価格を入力するとともに、時計写真入力エリアに時計１１（競売商品）の写真を入力する。出品者名や商品名、入札希望価格は、それらを記載したエントリー用紙が出品者から競売開催者に事前に提出されている。それら入力エリアに各データを入力した後、事務係は、入力ボタンをクリックする。入力ボタンをクリックすると、各入力エリアに入力された商品データが入力装置１５から管理コンピュータ１６に送信される。
【００５３】
入力装置１５から送信（入力）された時計１７の商品データ（商品データ入力日時を含む）は、ＩＣチップ１８の固有識別子および後記する時計１７の時計特定番号（競売商品特定データ）に関連付けられた状態で管理コンピュータ１６の大容量記憶領域の商品情報データベースに記憶（格納）される（商品データ記憶手段）。商品データの入力後（格納後）には、各時計１７毎（各競売商品毎）に対応するタグ１１が各時計１７に取り付けられる。
【００５４】
商品データの入力時またはタグ１１の取付時には、各時計１７（各競売商品）を特定する時計特定番号（競売商品特定データ）がそれら時計１７に設定される。時計特定番号は、特定のタグ１１のＩＣチップ１８に書き込まれた固有識別子に関連付けられた状態で管理コンピュータ１６の大容量記憶領域の競売商品データベースに記憶（格納）される（競売商品特定データ記憶手段）。時計特定番号には、エントリーナンバーが利用されている。なお、時計特定番号としてエントリーナンバーの他に、入力装置１５や管理コンピュータ１６が独自に生成したユニークな識別子またはあらかじめ決定した連番等を使用することもできる。
【００５５】
エントリーナンバーの一例は、例えば、Ａ中古買取店が時計１７を２３個出品する場合、図６に示すように、Ａ中古買取店用の３個の第１〜第３エントリーボックス２５ａ〜２５ｃを用意し、Ｂ中古買取店が時計１７を１５個出品する場合、Ｂ中古買取店用の２個の第４および第５エントリーボックス２５ｄ，２５ｅを用意する。各エントリーボックス２５ａ〜２５ｅは時計１７の１０個を一単位とし、最大１０個の時計１７が各エントリーボックス２５ａ〜２５ｅに収容される。なお、エントリーボックス２５ａ〜２５ｅに収容する時計１７の個数に特に制限はない。
【００５６】
Ａ中古買取店用の第１エントリーボックス２５ａには、Ａ中古買取店から出品された１０個の時計１７が収容される。第１エントリーボックス２５ａに収容された時計１７には、エントリーナンバーの１−１〜１−１０の時計特定番号（競売商品特定データ）が付与（設定）される。Ａ中古買取店用の第２エントリーボックス２５ｂには、Ａ中古買取店から出品された次の１０個の時計１７が収容される。第２エントリーボックス２５ｂに収容された時計１７には、エントリーナンバーの２−１〜２−１０の時計特定番号（競売商品特定データ）が付与（設定）される。Ａ中古買取店用の第３エントリーボックス２５ｃには、Ａ中古買取店から出品された次の３個の時計１７が収容される。第３エントリーボックス２５ｃに収容された時計１７には、エントリーナンバーの３−１〜３−３の時計特定番号（競売商品特定データ）が付与（設定）される。
【００５７】
Ｂ中古買取店用の第４エントリーボックス２５ｄには、Ｂ中古買取店から出品された１０個の時計１７が収容される。第４エントリーボックス２５ｄに収容された時計１７には、エントリーナンバーの４−１〜４−１０の時計特定番号（競売商品特定データ）が付与（設定）される。Ｂ中古買取店用の第５エントリーボックス２５ｅには、Ｂ中古買取店から出品された次の５個の時計１７が収容される。第５エントリーボックス２５ｅに収容された時計１７には、エントリーナンバーの５−１〜５−５の時計特定番号（競売商品特定データ）が付与（設定）される。
【００５８】
事務係（競売補助者）は、出品された各時計１７のエントリー（登録）を行う。出品された各時計１７のエントリー手続き（エントリーナンバー入力手続き）の一例は、以下のとおりである。事務係は、入力装置１５のディスプレイに出力（表示）されたデータ入力画面のエントリー入力ボタンをクリックする。エントリー入力ボタンをクリックすると、入力装置１５に接続されたディスプレイにエントリー画面（図示せず）が出力（表示）される。エントリー画面には、エントリー開始ボタン、戻るボタン、キャンセルボタンが出力（表示）される。
【００５９】
事務係は、エントリー開始ボタンをクリックし、各時計１７（各競売商品）のエントリーを開始する。エントリー開始ボタンをクリックすると、入力装置１５に接続されたディスプレイにエントリーナンバー入力画面が出力（表示）される。エントリーナンバー入力画面には、エントリーナンバー入力エリア（競売商品特定データ入力エリア）、決定ボタン、クリアボタン、戻るボタン、キャンセルボタンが出力（表示）される。
【００６０】
事務係は、Ａ中古買取店用の第１エントリーボックス２５ａから最初に１個の時計１７を取り出し、その時計１７の時計特定番号（競売商品特定データ）の１−１をエントリーナンバー入力画面のエントリーナンバー入力エリアに入力する。エントリーナンバー入力エリアに時計特定番号（競売商品特定データ）１−１を入力した後、事務係は、決定ボタンをクリックする。決定ボタンをクリックすると、エントリーナンバー入力エリアに入力された時計特定番号（競売商品特定データ）１−１が入力装置１５から管理コンピュータ１６に送信される。
【００６１】
時計特定番号（競売商品特定データ）１−１が入力装置１５から管理コンピュータ１６に送信（入力）されると、管理コンピュータ１６は、入力装置１５に接続されたディスプレイに時計特定番号（エントリーナンバー）１−１を出力（表示）するとともに、タグ番号１およびＩＣチップ１８に書き込まれた固有識別子（ユニーク識別子）、設定ボタン、戻るボタン、キャンセルボタンを出力（表示）する。
【００６２】
事務係が設定ボタンをクリックすると、エントリーナンバーである時計特定番号（競売商品特定データ）１−１がＩＣチップ１８の固有識別子（ユニーク識別子）に関連付けられた状態で管理コンピュータ１６の大容量記憶領域の競売商品データベースに記憶（格納）され（競売商品特定データ記憶手段）、管理コンピュータ１６に接続されたディスプレイにエントリーＯＫメッセージと確認ボタンとが表示される。事務係は、ディスプレイに表示された確認ボタンをクリックし、第１番のタグ１１を取り出し、その第１番のタグ１１を時計１７に取り付けた後、図７に示すように、第１番のタグ１１を取り付けた時計１７を第１エントリーボックス２５ａに収容する。確認ボタンをクリックすると、入力装置１５のディスプレイにエントリーナンバー入力画面が再び出力（表示）される。
【００６３】
事務係は、Ａ中古買取店用の第１エントリーボックス２５ａからタグ１１を付けていない次の１個の時計１７を取り出し、その時計１７の時計特定番号（競売商品特定データ）の１−２をエントリーナンバー入力画面のエントリーナンバー入力エリアに入力する。エントリーナンバー入力エリアに時計特定番号（競売商品特定データ）１−２を入力した後、事務係が決定ボタンをクリックすると、エントリーナンバー入力エリアに入力された時計特定番号（競売商品特定データ）１−２が入力装置１５から管理コンピュータ１６に送信される。
【００６４】
時計特定番号（競売商品特定データ）１−２が入力装置１５から管理コンピュータ１６に送信（入力）されると、管理コンピュータ１６は、入力装置１５に接続されたディスプレイに時計特定番号（エントリーナンバー）１−２を出力（表示）するとともに、タグ番号１およびＩＣチップ１８に書き込まれた固有識別子（ユニーク識別子）、設定ボタン、戻るボタン、キャンセルボタンを出力（表示）する。
【００６５】
事務係が設定ボタンをクリックすると、エントリーナンバーである時計特定番号（競売商品特定データ）１−２がＩＣチップ１８の固有識別子（ユニーク識別子）に関連付けられた状態で管理コンピュータ１６の大容量記憶領域の競売商品データベースに記憶（格納）され（競売商品特定データ記憶手段）、管理コンピュータ１６に接続されたディスプレイにエントリーＯＫメッセージと確認ボタンとが表示される。事務係は、ディスプレイに表示された確認ボタンをクリックし、第２番のタグ１１を取り出し、その第２番のタグ１１を時計１７（競売商品）に取り付けた後、第２番のタグ１１を取り付けた時計１７を第１エントリーボックス２５ａに収容する。確認ボタンをクリックすると、入力装置１５のディスプレイにエントリーナンバー入力画面が再び出力（表示）される。事務係は、既述の手順によってＡ中古買取店およびＢ中古買取店から出品されたすべての時計１７（競売商品）を管理コンピュータ１６にエントリー（登録）する。
【００６６】
事務係（競売補助者）は、オークションに参加する落札者３２（バイヤー）のバイヤーデータを入力装置１５から管理コンピュータ１６に入力（登録）する。落札者３２（バイヤー）のバイヤーデータには、登録する落札者３２（バイヤー）の落札者名（バイヤー名）、落札者コード（バイヤーコード）、落札者住所（バイヤー住所）、落札者連絡先（電話番号やメールアドレス等のバイヤー連絡先）がある。なお、バイヤーデータには、それらの他に、落札者３２（バイヤー）に関するあらゆるデータが含まれる。
【００６７】
落札者３２（バイヤー）の登録（エントリー）手続きの一例は、以下のとおりである。事務係は、入力装置１５のディスプレイに出力（表示）されたデータ入力画面のバイヤー入力ボタンをクリックする。バイヤー入力ボタンをクリックすると、入力装置１５に接続されたディスプレイにバイヤー入力画面（図示せず）が出力（表示）される。バイヤー入力画面には、落札者３２（バイヤー）の落札者名（バイヤー名）を入力するバイヤー名入力エリア、落札者コード（バイヤーコード）を入力するバイヤーコード入力エリア、落札者住所（バイヤー住所）を入力するバイヤー住所入力エリア、落札者連絡先（バイヤー連絡先）を入力するバイヤー連絡先入力エリア、登録ボタン、クリアボタン、戻るボタン、キャンセルボタンが出力（表示）される。
【００６８】
事務係は、バイヤー名入力エリアに落札者名（バイヤー名）を入力し、バイヤーコード入力エリアに落札者コード（バイヤーコード）を入力し、バイヤー住所入力エリアに落札者住所（バイヤー住所）を入力するとともに、バイヤー連絡先入力エリアに落札者連絡先（バイヤー連絡先）を入力する。落札者名（バイヤー名）や落札者コード（バイヤーコード）、落札者住所（バイヤー住所）、落札者連絡先（バイヤー連絡先）は、それらを記載したバイヤー登録用紙が落札者３２（バイヤー）から競売開催者に事前に提出されている。
【００６９】
それら入力エリアに各データを入力した後、事務係は、登録ボタンをクリックする。登録ボタンをクリックすると、各入力エリアに入力されたデータが入力装置１５から管理コンピュータ１６に送信される。入力装置１５から送信（入力）されたバイヤーデータ（バイヤーデータ入力日時を含む）は、管理コンピュータ１６の大容量記憶領域に記憶（格納）される（バイヤーデータ記憶手段）。なお、過去に管理コンピュータ１６に記憶されたバイヤーデータが大容量記憶領域に蓄積されている。
【００７０】
競り（オークション）に参加する落札者３２（バイヤー）（販売業者）は、自己が保有するスマートフォンやタブレット等の携帯通信端末から管理コンピュータ１６のＵＲＬを利用して管理コンピュータ１６にアクセスかつログインし、エントリー済みの時計１７（競売商品）の商品データを閲覧することができる。商品データの閲覧手順の一例として、スマートフォンが管理コンピュータ１６にログインすると、スマートフォンのタッチ画面にオークション閲覧画面（図示せず）が表示される。
【００７１】
オークション閲覧画面には、オークションに出品する各中古買取店の検索画面が表示される。検索画面において例えばＡ中古買取店を検索すると、Ａ中古買取店が出品（エントリー）した各時計１７の商品データの一覧がスマートフォンのタッチ画面に出力（表示）される。落札者３２（バイヤー）が時計１７の商品データの一覧から特定の時計１７の商品データを選択すると、選択した時計１７の商品データがスマートフォンのタッチ画面に出力（表示）される（競売商品データ出力手段）。
【００７２】
落札者３２（バイヤー）は、選択した時計１７の商品データをスマートフォンのタッチ画面で確認することができる。落札者３２（バイヤー）は、各時計１７の商品データを見ることで、各時計１７（競売商品）の出品者（Ａ中古買取店）、各時計１７（競売商品）の商品名（メーカー名を含む）、各時計１７（競売商品）の写真、各時計１７（競売商品）の入札価格を知ることができ、特定の時計１７（競売商品）の落札価格決定の参考にすることができる。
【００７３】
競売・落札商品管理システム１０は、各時計１７（競売商品）の出品者、各時計１７（競売商品）の商品名、各時計１７（競売商品）の写真、各時計１７（競売商品）の入札価格がＩＣチップ１８の固有識別子に関連付けられた状態で管理コンピュータ１６に記憶されているから、オークション会場２１において競りが行われる現物競り落とし型のオークションにおいて、時計１７（競売商品や落札商品）の商品データを容易に管理することができる。
【００７４】
オークション開催日には、タグ１１を取り付けた時計１７（競売商品）を収容した第１〜第ｎエントリーボックス２５がオークション会場２１に運ばれ、オークション開始時間にオークション会場２１においてエントリーボックス２５に収容された時計１７の競り（オークション）が開始される。なお、オークション会場２１には、各落札者用（各バイヤー用）の複数の郵送箱２６（検品ボックス）が用意されている。また、入力装置１５や管理コンピュータ１６が稼働している。進行係２９は、入力装置１５のディスプレイに表示されたデータ入力画面のオークションデータ入力ボタンをクリックする。
【００７５】
事務係がオークションデータ入力ボタンをクリックすると、入力装置１５に接続されたディスプレイにオークションデータ入力画面（図示せず）が出力（表示）される。オークションデータ入力画面には、時計特定詞入力エリア（競売商品特定詞入力エリア）、落札者特定詞入力エリア、落札価格詞入力エリア、時計特定詞送信ボタン（競売商品特定詞送信ボタン）、落札者特定詞・落札価格詞送信ボタン、クリアボタン、戻るボタン、キャンセルボタンが表示される。
【００７６】
オークション会場２１における時計１７（競売商品）の競り（オークション）では、進行係２９が第１エントリーボックス２５ａに収容された時計特定番号（競売商品特定データ）１−１の時計１７（第１番のタグ１１を取り付けた時計１７）を第１エントリーボックス２５ａから取り出し、その時計１７をオークション会場２１に設置されたオークションテーブル２７の上に置くとともに、進行係２９がその時計１７の時計特定詞（競売商品特定詞）（１−１という言葉）を発声する。
【００７７】
進行係２９は、図２に示すように、その声を拾うマイク２８を付けている。マイク２８は、インターフェイス（有線または無線）（図示せず）を介して管理コンピュータ１６に接続されている。進行係２９が発声した時計特定詞（競売商品特定詞）（１−１）は、進行係２９の声を拾うマイク２８に音声データとして入力される。音声データとしてマイク２８に入力された時計特定詞（競売商品特定詞）（１−１）は、マイク２８から管理コンピュータ１６に送信され、管理コンピュータ１６に入力される（詞入力手段）。詞入力手段では、進行係２９が発声した時計特定詞（競売商品特定詞）（１−１）が時計特定番号（競売商品特定データ）（１−１）としてマイク２８から管理コンピュータ１６に入力される。
【００７８】
進行係２９が発声した時計特定詞（競売商品特定詞）（１−１）は、マイク２８から事務係（競売補助者）に付けられたヘッドフォン（スピーカー）に出力（発音）される。事務係は、ヘッドフォンに出力された時計特定詞（競売商品特定詞）（１−１）を入力装置１５のディスプレイに表示された時計特定詞入力エリア（競売商品特定詞入力エリア）に入力した後、時計特定詞送信ボタン（競売商品特定詞送信ボタン）をクリックする。
【００７９】
事務係が時計特定詞送信ボタン（競売商品特定詞送信ボタン）をクリックすると、時計特定詞入力エリア（競売商品特定詞入力エリア）に入力された時計特定詞（競売商品特定詞）（１−１）が入力装置１５から管理コンピュータ１６に送信される。進行係２９が発声した時計特定詞（競売商品特定詞）（１−１）は、入力装置１５から管理コンピュータ１６に入力される（詞入力手段）。詞入力手段では、進行係２９が発声した時計特定詞（競売商品特定詞）（１−１）が時計特定番号（競売商品特定データ）（１−１）として入力装置１５から管理コンピュータ１６に入力される。
【００８０】
管理コンピュータ１６は、マイク２８や入力装置１５から入力された時計特定詞（競売商品特定詞）（１−１）を時計特定番号（競売商品特定データ）（１−１）として認識し、その時計特定番号（競売商品特定データ）（１−１）に対応する第１番のタグ１１に設置されたＩＣチップ１８の固有識別子（ユニーク識別子）を大容量記憶領域の競売商品データベースから抽出し、時計特定番号（競売商品特定データ）（１−１）とＩＣチップ１８の固有識別子とをキャッシュメモリに一時的に記憶（格納）する。
【００８１】
進行係２９が時計１７（競売商品）の時計特定詞（競売商品特定詞）（１−１）を発声してその時計１７をオークションテーブル２７に置いた後、競売人３０（オークショニア）が司会となった競り（オークション）が開始される。それら落札者３２（バイヤー）が第１番のタグ１１を取り付けた時計１７（競売商品）の競売価格を次々に提示し、競売人３０が音頭を取りながら競売価格をつり上げて行く。オークションテーブル２７に置かれた第１番のタグ１１の時計１７（競売商品）に対してそれら落札者３２（バイヤー）が相互に値段を競り合い、最も高値を付けた落札者３２（バイヤー）がその時計１７を競り落とす。
【００８２】
競り（オークション）が成立すると、復唱係３１（オーム）は、競売人３０が発声した落札者特定詞（落札者名の言葉）および落札価格詞（落札価格の言葉）を復唱する。復唱係３１は、第１番のタグ１１を取り付けた時計特定詞（競売商品特定詞）（１−１）の時計１７（落札商品）を落札した落札者特定詞（落札者名の言葉）と落札された時計１７（落札商品）の落札価格（落札価格の言葉）とを発声する。
【００８３】
復唱係３１が発声した落札者特定詞および落札価格詞は、復唱係３１の声を拾うマイク２８に音声データとして入力される。音声データとしてマイク２８に入力された第１番のタグ１１の時計１７の落札者特定詞と落札価格詞とは、マイク２８から管理コンピュータ１６に送信され、管理コンピュータ１６に入力される（詞入力手段）。詞入力手段では、復唱係３１が発声した落札者特定詞が落札者特定データとしてマイク２８から管理コンピュータ１６に入力され、復唱係３１が発声した落札価格詞が落札価格データとしてマイク２８から管理コンピュータ１６に入力される。
【００８４】
復唱係３１が発声した落札者特定詞と落札価格詞とは、マイク２８から事務係（競売補助者）に付けられたヘッドフォン（スピーカー）に出力（発音）される。事務係は、ヘッドフォンに出力された第１番のタグ１１の時計１７（落札商品）の落札者特定詞を入力装置１５のディスプレイに表示された落札者特定詞入力エリアに入力し、落札価格詞を入力装置１５のディスプレイに表示された落札価格詞入力エリアに入力した後、落札者特定詞・落札価格詞送信ボタンをクリックする。
【００８５】
事務係が落札者特定詞・落札価格詞送信ボタンをクリックすると、落札者特定詞入力エリアに入力された落札者特定詞と落札価格詞入力エリアに入力された落札価格詞とが入力装置１５から管理コンピュータ１６に送信される。復唱係３１が発声した第１番のタグ１１の時計１７（落札商品）の落札者特定詞および落札価格詞は、入力装置１５から管理コンピュータ１６に入力される（詞入力手段）。詞入力手段では、復唱係３１が発声した落札者特定詞が落札者特定データとして入力装置１５から管理コンピュータ１６に入力され、復唱係３１が発声した落札価格詞が落札価格データとして入力装置１５から管理コンピュータ１６に入力される。
【００８６】
管理コンピュータ１６は、マイク２８や入力装置１５から入力された第１番のタグ１１の時計１７（落札商品）の落札者特定詞を落札者特定データとして認識する。管理コンピュータ１６は、キャッシュメモリに一時的に記憶（格納）した時計特定番号（競売商品特定データ）（１−１）およびＩＣチップ１８の固有識別子から時計特定番号（競売商品特定データ）（１−１）に対応するＩＣチップ１８の固有識別子を特定し、マイク２８や入力装置１５から入力された時計１７（落札商品）の落札者３２（バイヤー）を特定する落札者特定データを第１番のタグ１１に設置されたＩＣチップ１８の固有識別子（ユニーク識別子）に関連付けた状態で大容量記憶領域の落札商品データベースに記憶（格納）する（落札者特定データ記憶手段）。時計特定番号（競売商品特定データ）（１−１）がＩＣチップ１８の固有識別子に関連付けられているから、落札者特定データが落札された第１番のタグ１１を取り付けた時計１７（落札商品）に対応する。
【００８７】
管理コンピュータ１６は、マイク２８や入力装置１５から入力された第１番のタグ１１の時計１７（落札商品）の落札価格詞を落札価格データとして認識する。管理コンピュータ１６は、キャッシュメモリに一時的に記憶（格納）した時計特定番号（競売商品特定データ）（１−１）およびＩＣチップ１８の固有識別子から時計特定番号（競売商品特定データ）（１−１）に対応するＩＣチップ１８の固有識別子を特定し、マイク２８や入力装置１５から入力された時計１７（落札商品）の落札価格を特定する落札価格データを第１番のタグ１１に設置されたＩＣチップ１８の固有識別子（ユニーク識別子）に関連付けた状態で大容量記憶領域の落札商品データベースに記憶（格納）する（落札価格データ記憶手段）。
【００８８】
時計特定番号（競売商品特定データ）（１−１）がＩＣチップ１８の固有識別子に関連付けられているから、落札価格データが落札された第１番のタグ１１を取り付けた時計１７（落札商品）に対応する。落札者特定データおよび落札価格データを記憶した後、管理コンピュータ１６は、時計特定番号（競売商品特定データ）（１−１）およびＩＣチップ１８の固有識別子をキャッシュメモリから消去する。
【００８９】
管理コンピュータ１６は、詞入力手段によって競売商品特定データと落札者特定データと落札価格データとがマイク２８や入力装置１５から入力され、落札者特定データや落札価格データを記憶した後、落札者特定データに対応する落札者名をバイヤーデータから抽出し、第１番のタグ１１を取り付けた時計特定番号（競売商品特定データ）（１−１）の時計１７の落札者特定データの落札者名および落札価格データの落札価格を表示したラベルシール２４（ラベル）のラベル作成信号をラベルプリンター１４に送信する。
【００９０】
ラベルプリンター１４は、図８に示すように、管理コンピュータ１６から送信されたラベル作成信号にしたがって落札者名および落札価格並びに時計特定番号１−１を表示したラベルシール２４を作り、そのラベルシール２４を出力する（ラベル出力手段）。事務係は、ラベルプリンター１４から出力されたラベルシール２４を第１番のタグ１１に貼付する。第１番のタグ１１を取り付けた時計特定番号（競売商品特定データ）１−１の時計１７（落札商品）の競り（オークション）が終了した後（競りが成立した後）、進行係２９は、図９に示すように、その時計１９を競り落とした落札者３２（バイヤー）用の郵送箱２６（検品ボックス）に収容する。
【００９１】
第１番のタグ１１を取り付けた時計１７（落札商品）を郵送箱２６（検品ボックス）に収容した後、進行係２９は、第１エントリーボックス２５ａに収容された時計特定番号（競売商品特定データ）１−２の時計１７（第２番のタグ１１を取り付けた時計１７）を第１エントリーボックス２５ａから取り出し、その時計１７をオークション会場２１に設置されたオークションテーブル２７の上に置くとともに、進行係２９がその時計１７（競売商品）の時計特定詞（競売商品特定詞）（１−２という言葉）を発声する。
【００９２】
進行係２９が発声した時計特定詞（競売商品特定詞）（１−２）は、進行係２９の声を拾うマイク２８に音声データとして入力される。音声データとしてマイク２８に入力された時計特定詞（競売商品特定詞）（１−２）は、マイク２８から管理コンピュータ１６に送信され、管理コンピュータ１６に入力される（詞入力手段）。詞入力手段では、進行係２９が発声した時計特定詞（競売商品特定詞）（１−２）が時計特定番号（競売商品特定データ）（１−２）としてマイク２８から管理コンピュータ１６に入力される。
【００９３】
進行係２９が発声した時計特定詞（競売商品特定詞）（１−２）は、マイク２８から事務係（競売補助者）に付けられたヘッドフォン（スピーカー）に出力（発音）される。事務係は、ヘッドフォンに出力された時計特定詞（競売商品特定詞）（１−２）を入力装置１５のディスプレイに表示された時計特定詞入力エリア（競売商品特定詞入力エリア）に入力した後、時計特定詞送信ボタン（競売商品特定詞送信ボタン）をクリックする。
【００９４】
事務係が時計特定詞送信ボタン（競売商品特定詞送信ボタン）をクリックすると、時計特定詞入力エリア（競売商品特定詞入力エリア）に入力された時計特定詞（競売商品特定詞）（１−２）が入力装置１５から管理コンピュータ１６に送信される。進行係２９が発声した時計特定詞（競売商品特定詞）（１−２）は、入力装置１５から管理コンピュータ１６に入力される（詞入力手段）。詞入力手段では、進行係２９が発声した時計特定詞（競売商品特定詞）（１−２）が時計特定番号（競売商品特定データ）（１−２）として入力装置１５から管理コンピュータ１６に入力される。
【００９５】
管理コンピュータ１６は、マイク２８や入力装置１５から入力された時計特定詞（競売商品特定詞）（１−２）を時計特定番号（競売商品特定データ）（１−２）として認識し、その時計特定番号（競売商品特定データ）（１−２）に対応する第２番のタグ１１に設置されたＩＣチップ１８の固有識別子（ユニーク識別子）を大容量記憶領域の競売商品データベースから抽出し、時計特定番号（競売商品特定データ）（１−２）とＩＣチップ１８の固有識別子とをキャッシュメモリに一時的に記憶（格納）する。
【００９６】
進行係２９が時計１７（競売商品）の時計特定詞（競売商品特定詞）（１−２）を発声してその時計１７をオークションテーブル２７に置いた後、競売人３０（オークショニア）が司会となった競り（オークション）が開始される。それら落札者３２（バイヤー）が第２番のタグ１１を取り付けた時計１７（競売商品）の競売価格を次々に提示し、競売人３０が音頭を取りながら競売価格をつり上げて行く。オークションテーブル２７に置かれた第２番のタグ１１の時計１７（競売商品）に対してそれら落札者３２（バイヤー）が相互に値段を競り合い、最も高値を付けた落札者３２（バイヤー）がその時計１７を競り落とす。
【００９７】
競り（オークション）が成立すると、復唱係３１（オーム）は、競売人３０が発声した落札者特定詞（落札者名の言葉）および落札価格詞（落札価格の言葉）を復唱する。復唱係３１は、第２番のタグ１１を取り付けた時計特定詞（競売商品特定詞）（１−２）の時計１７（落札商品）を落札した落札者特定詞（落札者名の言葉）と落札された時計１７（落札商品）の落札価格（落札価格の言葉）とを発声する。
【００９８】
復唱係３１が発声した落札者特定詞および落札価格詞は、復唱係３１の声を拾うマイク２８に音声データとして入力される。音声データとしてマイク２８に入力された第２番のタグ１１の時計１７の落札者特定詞と落札価格詞とは、マイク２８から管理コンピュータ１６に送信され、管理コンピュータ１６に入力される（詞入力手段）。詞入力手段では、復唱係３１が発声した落札者特定詞が落札者特定データとしてマイク２８から管理コンピュータ１６に入力され、復唱係３１が発声した落札価格詞が落札価格データとしてマイク２８から管理コンピュータ１６に入力される。
【００９９】
復唱係３１が発声した落札者特定詞と落札価格詞とは、マイク２８から事務係（競売補助者）に付けられたヘッドフォン（スピーカー）に出力（発音）される。事務係は、ヘッドフォンに出力された第２番のタグ１１の時計１７（落札商品）の落札者特定詞を入力装置１５のディスプレイに表示された落札者特定詞入力エリアに入力し、落札価格詞を入力装置１５のディスプレイに表示された落札価格詞入力エリアに入力した後、落札者特定詞・落札価格詞送信ボタンをクリックする。
【０１００】
事務係が落札者特定詞・落札価格詞送信ボタンをクリックすると、落札者特定詞入力エリアに入力された落札者特定詞と落札価格詞入力エリアに入力された落札価格詞とが入力装置１５から管理コンピュータ１６に送信される。復唱係３１が発声した第２番のタグ１１の時計１７（落札商品）の落札者特定詞および落札価格詞は、入力装置１５から管理コンピュータ１６に入力される（詞入力手段）。詞入力手段では、復唱係３１が発声した落札者特定詞が落札者特定データとして入力装置１５から管理コンピュータ１６に入力され、復唱係３１が発声した落札価格詞が落札価格データとして入力装置１５から管理コンピュータ１６に入力される。
【０１０１】
管理コンピュータ１６は、マイク２８や入力装置１５から入力された第２番のタグ１１の時計１７（落札商品）の落札者特定詞を落札者特定データとして認識する。管理コンピュータ１６は、キャッシュメモリに一時的に記憶（格納）した時計特定番号（競売商品特定データ）（１−２）およびＩＣチップ１８の固有識別子から時計特定番号（競売商品特定データ）（１−２）に対応するＩＣチップ１８の固有識別子を特定し、マイク２８や入力装置１５から入力された時計１７（落札商品）の落札者３２（バイヤー）を特定する落札者特定データを第２番のタグ１１に設置されたＩＣチップ１８の固有識別子（ユニーク識別子）に関連付けた状態で大容量記憶領域の落札商品データベースに記憶（格納）する（落札者特定データ記憶手段）。時計特定番号（競売商品特定データ）（１−２）がＩＣチップ１８の固有識別子に関連付けられているから、落札者特定データが落札された第２番のタグ１１を取り付けた時計１７（落札商品）に対応する。
【０１０２】
管理コンピュータ１６は、マイク２８や入力装置１５から入力された第２番のタグ１１の時計１７（落札商品）の落札価格詞を落札価格データとして認識する。管理コンピュータ１６は、キャッシュメモリに一時的に記憶（格納）した時計特定番号（競売商品特定データ）（１−２）およびＩＣチップ１８の固有識別子から時計特定番号（競売商品特定データ）（１−２）に対応するＩＣチップ１８の固有識別子を特定し、マイク２８や入力装置１５から入力された時計１７（落札商品）の落札価格を特定する落札価格データを第２番のタグ１１に設置されたＩＣチップ１８の固有識別子（ユニーク識別子）に関連付けた状態で大容量記憶領域の落札商品データベースに記憶（格納）する（落札価格データ記憶手段）。
【０１０３】
時計特定番号（競売商品特定データ）（１−２）がＩＣチップ１８の固有識別子に関連付けられているから、落札価格データが落札された第２番のタグ１１を取り付けた時計１７（落札商品）に対応する。落札者特定データおよび落札価格データを記憶した後、管理コンピュータ１６は、時計特定番号（競売商品特定データ）（１−２）およびＩＣチップ１８の固有識別子をキャッシュメモリから消去する。
【０１０４】
競売・落札商品管理システム１０は、詞入力手段によって進行係２９が発声した時計特定詞（競売商品特定詞）と復唱係３１が発声した落札者特定詞と復唱係３１が発声した落札価格詞とを管理コンピュータ１６に入力し、管理コンピュータ１６が落札者特定詞を落札者特定データとしてＩＣチップ１８の固有識別子に関連付けた状態で記憶するとともに、時計１７（落札商品）の落札価格詞を時計１７の落札価格データとしてＩＣチップ１８の固有識別子に関連付けた状態で記憶し、時計特定詞（競売商品特定詞）を時計特定データ（競売商品特定データ）としてＩＣチップ１８の固有識別子に関連付けた状態で記憶することで、管理コンピュータ１６が時計特定詞（競売商品特定詞）によって時計１７（競売商品）を特定することができ、落札者特定詞によって落札者３２（バイヤー）を特定することができるとともに、落札価格詞によって時計１７の落札価格を特定することができる。
【０１０５】
管理コンピュータ１６は、詞入力手段によって競売商品特定データと落札者特定データと落札価格データとがマイク２８や入力装置１５から入力され、落札者特定データや落札価格データを記憶した後、落札者特定データに対応する落札者名をバイヤーデータから抽出し、第１番のタグ１１を取り付けた時計特定番号（競売商品特定データ）（１−２）の時計１７の落札者特定データの落札者名および落札価格データの落札価格を表示したラベルシール２４（ラベル）のラベル作成信号をラベルプリンター１４に送信する。
【０１０６】
ラベルプリンター１４は、管理コンピュータ１６から送信されたラベル作成信号にしたがって落札者名および落札価格並びに時計特定番号１−２を表示したラベルシール２４を作り、そのラベルシール２４を出力する（ラベル出力手段）。事務係は、ラベルプリンター１４から出力されたラベルシール２４を第２番のタグ１１に貼付する。第２番のタグ１１を取り付けた時計特定番号（競売商品特定データ）１−２の時計１７（落札商品）の競り（オークション）が終了した後（競りが成立した後）、進行係２９は、その時計１９を競り落とした落札者３２（バイヤー）用の郵送箱２６（検品ボックス）に収容する。
【０１０７】
競売・落札商品管理システム１０は、落札者特定データの落札者名および落札価格データの落札価格並びに時計特定番号（競売商品特定データ）が表示されたラベル２４をラベルプリンター１４から出力し、そのラベル２４をタグ１１に貼付することで、落札された時計１７（落札商品）に取り付けられたタグ１１を見ることで、落札者３２（バイヤー）や落札価格を知ることができ、タグ１１を利用することで、オークション会場２１において競りが行われる現物競り落とし型のオークションにおいて、落札された時計１７（落札商品）を容易に管理することができる。
【０１０８】
オークション会場２１では、第１番のタグ１１を取り付けた時計特定番号（競売商品特定データ）１−１の時計１７の競りおよび第２番のタグ１１を取り付けた時計特定番号（競売商品特定データ）１−２の時計１７の競りで説明した手順を繰り返し、すべての時計１７（競売商品）の競り（オークション）が終了する。すべての時計１７（競売商品）の競り（オークション）が終了した後、各落札者３２（各バイヤー）毎に仕分け（区分）された郵送箱２６（検品ボックス）をチェックボックス１３に運ぶ。郵送箱２６（検品ボックス）には、競り落とされた複数の時計１７（競売商品）が収容されている。郵送箱２６（検品ボックス）に収容されたそれら時計１７（競売商品）には、ラベルシール２４が貼付されたタグ１１が取り付けられている。
【０１０９】
事務係（競売補助者）は、各郵送箱２６（各検品ボックス）をチェックボックス１３に運び、チェックボックス１３の頂壁１９を上方へ旋回させて頂部開口２０を開放し、チェックボックス１３の内部に郵送箱２６（検品ボックス）を収納し、頂壁１９を下方へ旋回させて頂部開口２０を閉鎖する。チェックボックス１３に収納される郵送箱２６（検品ボックス）は、例えば、落札者３２（バイヤー）がＡ落札者（Ａバイヤー）〜Ｘ落札者（Ｘバイヤー）であった場合、Ａ落札者（Ａバイヤー）用の郵送箱２６（検品ボックス）からＸ落札者（Ｘバイヤー）用の郵送箱２６（検品ボックス）を順にチェックボックス１３に収納する。
【０１１０】
事務係は、Ａ落札者（Ａバイヤー）用の郵送箱２６（検品ボックス）をチェックボックス１３に収納（収容）した後、チェックボックス１３のディスプレイ２３（タッチパネル）に表示されたチェック（検品）開始ボタンをクリック（タップ）する。チェック（検品）開始ボタンをクリック（タップ）すると、管理コンピュータ１６は、郵送箱２６（検品ボックス）の内部のそれら時計１７（競売商品）に取り付けられたタグ１１のＩＣチップ１８の固有識別子の読み取り信号をチェックボックス１３に設置されたリーダ１２に送信する。
【０１１１】
タグ１１に設置されたＩＣチップ１８の固有識別子の読み取り信号を受信したリーダ１２は、Ａ落札者（Ａバイヤー）（特定の落札者）用の郵送箱２６（検品ボックス）の内部に収納されたそれら時計１７（複数の競売商品）に取り付けられたタグ１１のＩＣチップ１８の固有識別子を読み取る（識別子読み取り手段）。リーダ１２は、読み取ったＩＣチップ１８の固有識別子を管理コンピュータ１６に送信する。識別子読み取り手段では、Ａ落札者（Ａバイヤー）（特定の落札者）によって落札された複数の時計１７（落札商品）すべてを収容したＡ落札者（Ａバイヤー）用の郵送箱２６（検品ボックス）をチェックボックス１３に収納し、チェックボックス１３に設置されたリーダ１２を利用してそれら時計１７（それら落札商品）のタグ１１に設置されたＩＣチップ１８の固有識別子を纏めて読み取る。
【０１１２】
競売・落札商品管理システム１０は、オークション会場２１において競りが行われる現物競り落とし型のオークションにおいて、特定の落札者３２が落札した複数の時計１７（落札商品）に取り付けられたタグ１１のＩＣチップ１８の個別識別子をチェックボックス１３において一度に読み取ることができ、それら時計１７（落札商品）のタグ１１に設置されたＩＣチップ１８の個別識別子を各時計１７毎（各落札商品毎）に個別に読み取る手間を省くことができる。
【０１１３】
管理コンピュータ１６は、リーダ１２（識別子読み取り手段）によって読み取られたＩＣチップ１８の固有識別子と落札者特定データ記憶手段によって記憶したＩＣチップ１８の固有識別子とを比較する（識別子比較手段）。管理コンピュータ１６は、識別子比較手段によってＩＣチップ１８の固有識別子を比較した結果、識別子読み取り手段によって読み取られた複数の時計１７（落札商品）のタグ１１に設置されたＩＣチップ１８の固有識別子のすべてが落札者特定データ記憶手段によって記憶した落札者特定データに関連付くそれらＩＣチップ１８の固有識別子に一致した場合、Ａ落札者（Ａバイヤー）用の郵送箱２６（検品ボックス）に収容されたすべての時計１７（落札商品）がＡ落札者（Ａバイヤー）（特定の落札者３２）によって落札された時計１７（落札商品）であると判断し、Ａ落札者（Ａバイヤー）（特定の落札者３２）によって落札されてＡ落札者（Ａバイヤー）用の郵送箱２６（検品ボックス）に収容された複数の時計１７（落札商品）の出荷を可とする（第１検品手段）。
【０１１４】
管理コンピュータ１６は、Ａ落札者（Ａバイヤー）用の郵送箱２６（検品ボックス）に収容されたすべての時計１７（落札商品）とＡ落札者（Ａバイヤー）（特定の落札者３２）によって落札された時計１７（落札商品）とが一致したことを示すメッセージと、Ａ落札者（Ａバイヤー）用の郵送箱２６（検品ボックス）に収容された複数の時計１７（落札商品）の出荷可を示すメッセージと、確認ボタンとをチェックボックス１３のディスプレイ２３（タッチパネル）に出力（表示）する。事務係（競売補助者）は、確認ボタンをクリック（タップ）した後、チェックボックス１３の頂壁１９を上方へ旋回させて頂部開口２０を開放し、Ａ落札者（Ａバイヤー）用の郵送箱２６（検品ボックス）をチェックボックス１３の内部から取り出す。Ａ落札者（Ａバイヤー）用の郵送箱２６（検品ボックス）は、Ａ落札者（Ａバイヤー）に郵送される。
【０１１５】
管理コンピュータ１６は、詞入力手段によって時計特定データ（競売商品特定データ）と落札者特定データと落札価格データとが入力されるとともに、第１検品手段によって落札された時計１７（落札商品）の出荷を可とした場合、Ａ落札者（Ａバイヤー）（特定の落札者３２）に落札されたそれら時計１７（落札商品）の落札商品明細３３を出力する（落札商品明細出力手段）。落札商品明細３３には、図１０に示すように、落札者特定データ（落札者名）、落札価格データ（落札価格）、商品データ（時計１７の出品者、時計１７の商品名、時計１７の写真、時計１７の入札価格）が表示される。
【０１１６】
なお、落札商品明細３３をオークションの後日に出力することができる。落札商品明細３３をオークションの後日に出力するには、入力装置１５のディスプレイに表示されたデータ入力画面の落札商品明細出力ボタンをクリックする。落札商品明細出力ボタンをクリックすると、条件入力画面が入力装置１５のディスプレイに出力（表示）される。条件入力画面には、日付入力エリア、落札者入力エリア（バイヤー入力エリア）、明細出力ボタン、クリアボタン、戻るボタン、キャンセルボタンが表示される。日付入力エリアにオークションが行われた日付を入力し、落札者入力エリア（バイヤー入力エリア）に落札者３２（バイヤー）を入力した後、明細出力ボタンをクリックする。明細出力ボタンをクリックすると、管理コンピュータ１６は、入力された日付の入力された落札者３２（バイヤー）が落札した時計１７（落札商品）の落札商品明細３３を出力する（落札商品明細出力手段）。
【０１１７】
競売・落札商品管理システム１０は、識別子読み取り手段によって読み取られた複数の時計１７（落札商品）のタグ１１に設置されたＩＣチップ１８の固有識別子のすべてが落札者特定データ記憶手段によって記憶した落札者特定データに関連付くそれらＩＣチップ１８の固有識別子に一致した場合、落札者特定データと落札価格データと商品データとを表示した落札商品明細３３を出力するから、落札者３２（バイヤー）が落札商品明細３３を見ることで、落札した時計１７（落札商品）の落札者や落札価格、商品データ、落札した時計１７（落札商品）の出品者、時計１７（落札商品）の商品名、時計１７（落札商品）の入札価格を知ることができる。
【０１１８】
競売・落札商品管理システム１０は、時計１７（競売商品、落札商品）のそれら商品データ、時計１７（競売商品、落札商品）の出品者、時計１７（競売商品、落札商品）の商品名、時計１７（競売商品、落札商品）の入札価格がＩＣチップ１８の固有識別子に関連付けられた状態で管理コンピュータ１６に記憶されているから、オークション会場２１において競りが行われる現物競り落とし型のオークションにおいて、時計１７（競売商品、落札商品）を容易に管理することができ、時計１７（競売商品、落札商品）と商品番号、商品名等、落札者名、落札価格等の落札情報、時計１７（競売商品、落札商品）の出品者、時計１７（競売商品、落札商品）の商品名、時計１７（競売商品、落札商品）の入札価格とのミスマッチの発生を防ぐことができる。
【０１１９】
Ａ落札者（Ａバイヤー）用の郵送箱２６（検品ボックス）のチェックボックス１３による検品が終了した後、事務係（競売補助者）は、Ｂ落札者（Ａバイヤー）用の郵送箱２６（検品ボックス）をチェックボックス１３に収納（収容）した後、チェックボックス１３のディスプレイ２３（タッチパネル）に表示されたチェック（検品）開始ボタンをクリック（タップ）し、既述の手順によってＢ落札者（Ａバイヤー）用の郵送箱２６（検品ボックス）に収容された時計１７（落札商品）の検品を行う。事務係は、Ａ落札者（Ａバイヤー）用の郵送箱２６（検品ボックス）〜Ｘ落札者（Ｘバイヤー）用の郵送箱２６（検品ボックス）のすべての郵送箱２６（検品ボックス）に収容された時計１７（落札商品）の検品を行う。
【０１２０】
管理コンピュータ１６は、識別子比較手段によってＩＣチップ１８の固有識別子を比較した結果、識別子読み取り手段によって読み取られた複数の時計１７（落札商品）のタグ１１に設置されたＩＣチップ１８の固有識別子のうちの少なくとも１つが落札者特定データ記憶手段によって記憶した落札者特定データに関連付くそれらＩＣチップ１８の固有識別子に一致しない場合、Ａ落札者（Ａバイヤー）用の郵送箱２６（検品ボックス）に収容された時計１７（落札商品）のうちの少なくとも１つの時計１７がＡ落札者（Ａバイヤー）（特定の落札者３２）によって落札された時計１７（落札商品）ではないと判断し、Ａ落札者（Ａバイヤー）（特定の落札者３２）によって落札されてＡ落札者（Ａバイヤー）用の郵送箱２６（検品ボックス）に収容された複数の時計１７（落札商品）の出荷を不可とする（第２検品手段）。
【０１２１】
管理コンピュータ１６は、第２検品手段においてＡ落札者（Ａバイヤー）用の郵送箱２６（検品ボックス）に収容された時計１７（落札商品）の出荷を不可とした場合、不一致の固有識別子のＩＣチップ１８を有するタグ１１を取り付けた時計１７（落札商品）の不一致時計特定番号（不一致商品特定データ）をチェックボックス１３のディスプレイ２３（タッチパネル）に出力（表示）する（不一致商品特定データ出力手段）。
【０１２２】
不一致商品特定データ出力手段において管理コンピュータは、Ａ落札者（Ａバイヤー）用の郵送箱２６（検品ボックス）に収容された時計１７（落札商品）とＡ落札者（Ａバイヤー）（特定の落札者）によって落札された時計１７（落札商品）とが一致しないことを示すメッセージと、Ａ落札者（Ａバイヤー）用の郵送箱２６（検品ボックス）に収容された複数の時計１７（落札商品）の出荷不可を示すメッセージと、不一致の固有識別子のＩＣチップ１８を有するタグ１１を取り付けた時計１７（落札商品）の不一致時計特定番号（不一致商品特定データ）（例えば、第２番のタグ１１を取り付けた不一致時計特定番号（不一致商品特定データ）１−２の時計１７）と、確認ボタンとをチェックボックス１３のディスプレイ２３（タッチパネル）に表示する。
【０１２３】
事務係（競売補助者）は、確認ボタンをクリック（タップ）した後、チェックボックス１３の頂壁１９を上方へ旋回させて頂部開口２０を開放し、Ａ落札者（Ａバイヤー）用の郵送箱２６（検品ボックス）をチェックボックス１３の内部から取り出す。事務係は、チェックボックス１３のディスプレイ２３（タッチパネル）に表示された不一致時計特定番号（不一致商品特定データ）（第２番のタグ１１を取り付けた不一致時計特定番号（不一致商品特定データ）１−２の時計１７）を確認し、Ａ落札者（Ａバイヤー）が落札していない不一致時計特定番号（不一致商品特定データ）の時計１７（落札商品）をＡ落札者（Ａバイヤー）用の郵送箱２６（検品ボックス）から取り出す。事務係は、落札者（Ａバイヤー）が落札していない不一致時計特定番号（不一致商品特定データ）の時計１７（落札商品）をＡ落札者（Ａバイヤー）用の郵送箱２６（検品ボックス）から取り出した後、Ａ落札者（Ａバイヤー）用の郵送箱２６（検品ボックス）を再びチェックボックス１３に収納（収容）し、検品を行う。
【０１２４】
競売・落札商品管理システム１０は、管理コンピュータ１６が識別子比較手段によってＩＣチップ１８の固有識別子を比較した結果、識別子読み取り手段によって読み取られた複数の時計１７（落札商品）のタグ１１に設置されたＩＣチップ１８の固有識別子のすべてが落札者特定データ記憶手段によって記憶した落札者特定データに関連付くそれらＩＣチップ１８の固有識別子に一致した場合、落札された複数の時計１７（落札商品）の出荷を可とする第１検品手段と、識別子読み取り手段によって読み取られた複数の時計１７（落札商品）のタグ１１に設置されたＩＣチップ１８の固有識別子のうちの少なくとも１つが落札者特定データ記憶手段によって記憶した落札者特定データに関連付くそれらＩＣチップ１８の固有識別子に一致しない場合、落札された複数の時計１７（落札商品）の出荷を不可とする第２検品手段とを有するから、オークション会場２１において競りが行われる現物競り落とし型のオークションにおいて、特定の落札者３２（バイヤー）が落札した複数の時計１７（落札商品）がその落札者３２が落札したものか否かをそれら時計１７（落札商品）に取り付けられたタグ１１のＩＣチップ１８の固有識別子によって瞬時に判断することができ、各落札者３２による時計１７（落札商品）の確認作業の手間を省くことができるとともに、落札者３２が落札したそれら時計１７（落札商品）を真の落札者３２へ速やかに配送することができる。
【符号の説明】
【０１２５】
１０    競売・落札商品管理システム
１１    タグ（荷札）
１２    リーダ（ＩＣタグリーダ）
１３    チェックボックス（検品ボックス）
１４    ラベルプリンター
１５    入力装置（パソコン）
１６    管理コンピュータ
１７    時計（競売商品、落札商品）
１８    ＩＣチップ
１９    頂壁
２０    頂部開口
２１    オークション会場
２２    前壁
２３    ディスプレイ（タッチパネル）
２４    ラベルシール（ラベル）
２５    エントリーボックス
２５ａ〜２５ｅ  第１〜第５エントリーボックス
２６    郵送箱（検品ボックス）
２７    オークションテーブル
２８    マイク
２９    進行係
３０    競売人（オークショニア）
３１    復唱係（オーム）
３２    落札者（バイヤー）
３３    落札商品明細
【図１】
2019204330.tif 000003
【図２】
2019204330.tif 000004
【図３】
2019204330.tif 000005
【図４】
2019204330.tif 000006
【図５】
2019204330.tif 000007
【図６】
2019204330.tif 000008
【図７】
2019204330.tif 000009
【図８】
2019204330.tif 000010
【図９】
2019204330.tif 000011
【図１０】
2019204330.tif 000012